(57)【要約】  高レイテンシーデバイスのＩＭＳレベル認識を与えるシステム、方法、装置及びコンピュータプログラム製品が提供される。１つの方法は、ＵＥがＥＰＣにアタッチするとき、ＵＥが高レイテンシーデバイスであるとの指示をネットワークノードで受け取ることを含む。又、この方法は、高レイテンシーデバイスに対して特に指示された特殊なＩＰアドレス範囲から選択されたＩＰアドレスをＵＥに指定することも含む。ＵＥがＩＭＳ登録を遂行するとき、この方法は、ＩＭＳ登録要求で与えられ且つＥＰＣアタッチ手順の間に指定されるＵＥのＩＰアドレスに基づいてＵＥが高レイテンシーＵＥであると決定することを含む。【選択図】      図１
2018538761.tif 000002
【特許請求の範囲】
【請求項１】
アクセスサーバーにより、少なくとも１つのユーザ装置のイベント通知にサブスクライブし、
前記サブスクライブすることは、アクセスサーバーが少なくとも１つのユーザ装置の状態情報の受け取りを希望することをサブスクライバサーバーに指示することを含み、
前記サブスクライバサーバーから少なくとも１つのユーザ装置の状態情報を受け取る、
ことを含む、方法。
【請求項２】
前記状態情報は、少なくとも１つのユーザ装置がウェイクし且つ到達可能であるときの指示を含む、請求項１に記載の方法。
【請求項３】
前記状態情報は、更に、少なくとも１つのユーザ装置がどれほど長く到達可能であるかの指示を含む、請求項１又は２に記載の方法。
【請求項４】
前記状態情報は、更に、少なくとも１つのユーザ装置が到達可能でないとの指示、及び少なくとも１つのユーザ装置がどれほど長く到達可能でないかの指示を含む、請求項１に記載の方法。
【請求項５】
前記状態情報に基づき着信セッションイニシエーションプロトコルメッセージを送信すべきかどうか決定することを更に含む、請求項１から４のいずれか１項に記載の方法。
【請求項６】
前記アクセスサーバーは、インターネットプロトコルマルチメディアサブシステム（ＩＭＳ）アクセスサーバー（ＡＳ）を含む、請求項１から５のいずれか１項に記載の方法。
【請求項７】
少なくとも１つのプロセッサ、及び
コンピュータプログラムコードを含む少なくとも１つのメモリ、
を備えた装置において、少なくとも１つのメモリ及びコンピュータプログラムコードは、少なくとも１つのプロセッサとで、装置が、少なくとも、
少なくとも１つのユーザ装置のイベント通知にサブスクライブし、
前記サブスクライブすることは、装置が少なくとも１つのユーザ装置の状態情報の受け取りを希望することをサブスクライバサーバーに指示することを含み、
前記サブスクライバサーバーから少なくとも１つのユーザ装置の状態情報を受け取る、
ようにさせるよう構成された、装置。
【請求項８】
前記状態情報は、少なくとも１つのユーザ装置がウェイクし且つ到達可能であるときの指示を含む、請求項７に記載の装置。
【請求項９】
前記状態情報は、更に、少なくとも１つのユーザ装置がどれほど長く到達可能であるかの指示を含む、請求項７又は８のいずれかに記載の装置。
【請求項１０】
前記状態情報は、更に、少なくとも１つのユーザ装置が到達可能でないとの指示、及び少なくとも１つのユーザ装置がどれほど長く到達可能でないかの指示を含む、請求項７に記載の装置。
【請求項１１】
少なくとも１つのメモリ及びコンピュータプログラムコードは、少なくとも１つのプロセッサとで、装置が、少なくとも、前記状態情報に基づき着信セッションイニシエーションプロトコルメッセージを送信すべきかどうかを決定するようにさせるよう更に構成される、請求項７から１０のいずれか１項に記載の装置。
【請求項１２】
前記装置は、インターネットプロトコルマルチメディアサブシステム（ＩＭＳ）アクセスサーバー（ＡＳ）を備えている、請求項７から１１のいずれか１項に記載の装置。
【請求項１３】
少なくとも１つのユーザ装置のイベント通知にサブスクライブするためのサブスクライブ手段を備え、
前記サブスクライブ手段は、装置が少なくとも１つのユーザ装置の状態情報の受け取りを希望することをサブスクライバサーバーに指示するための手段を含み、
前記サブスクライバサーバーから、前記少なくとも１つのユーザ装置の状態情報を受け取るための受け取り手段を更に備えた、装置。
【請求項１４】
アクセスサーバーが少なくとも１つのユーザ装置の状態情報の受け取りを希望するとの指示を少なくとも１つのユーザ装置に関連したサブスクライバサーバーで受け取り、
少なくとも１つのユーザ装置がアクティブであるときに通知されるべきとの要求を移動マネージメントエンティティへ送出し、
少なくとも１つのユーザ装置がアクティブになるときに、少なくとも１つのユーザ装置がアクティブであるとの指示、及び少なくとも１つのユーザ装置がアクティブになる期間の指示を受け取り、及び
少なくとも１つのユーザ装置の状態情報をアクセスサーバーへ送出する、
ことを含み、その状態情報は、少なくとも１つのユーザ装置がアクティブであるとの指示、及び少なくとも１つのユーザ装置がアクティブになる期間の指示を含む、方法。
【請求項１５】
少なくとも１つのユーザ装置がスリープへ戻るときの移動マネージメントエンティティからの指示、及びスリープの期間の指示を受け取ることを更に含む、請求項１４に記載の方法。
【請求項１６】
前記サブスクライバサーバーは、ホームサブスクライバサーバー（ＨＳＳ）を含む、請求項１４又は１５に記載の方法。
【請求項１７】
少なくとも１つのプロセッサ、及び
コンピュータプログラムコードを含む少なくとも１つのメモリ、
を備えた装置において、少なくとも１つのメモリ及びコンピュータプログラムコードは、少なくとも１つのプロセッサとで、装置が、少なくとも、
アクセスサーバーが少なくとも１つのユーザ装置の状態情報の受け取りを希望するとの指示を受け取り、
少なくとも１つのユーザ装置がアクティブであるときに通知されるべきとの要求を移動マネージメントエンティティへ送出し、
少なくとも１つのユーザ装置がアクティブになるときに、少なくとも１つのユーザ装置がアクティブであるとの指示、及び少なくとも１つのユーザ装置がアクティブになる期間の指示を受け取り、及び
少なくとも１つのユーザ装置の状態情報をアクセスサーバーへ送出する、
ようにさせるよう構成され、前記状態情報は、少なくとも１つのユーザ装置がアクティブであるとの指示、及び少なくとも１つのユーザ装置がアクティブになる期間の指示を含む、装置。
【請求項１８】
少なくとも１つのメモリ及びコンピュータプログラムコードは、少なくとも１つのプロセッサとで、装置が、少なくとも、
少なくとも１つのユーザ装置がスリープへ戻るときの移動マネージメントエンティティからの指示、及びスリープの期間の指示を受け取る、
ようにさせるよう構成された、請求項１７に記載の装置。
【請求項１９】
前記装置は、ホームサブスクライバサーバー（ＨＳＳ）を含む、請求項１７又は１８に記載の装置。
【請求項２０】
アクセスサーバーが少なくとも１つのユーザ装置の状態情報の受け取りを希望するとの指示を受け取るための受け取り手段、
少なくとも１つのユーザ装置がアクティブであるときに通知されるべきとの要求を移動マネージメントエンティティへ送出するための送出手段、
少なくとも１つのユーザ装置がアクティブになるときに、少なくとも１つのユーザ装置がアクティブであるとの指示、及び少なくとも１つのユーザ装置がアクティブになる期間の指示を受け取るための受け取り手段、及び
少なくとも１つのユーザ装置の前記状態情報を前記アクセスサーバーへ送出するための送出手段、
を備え、前記状態情報は、少なくとも１つのユーザ装置がアクティブであるとの指示、及び少なくとも１つのユーザ装置がアクティブになる期間の指示を含む、装置。
【請求項２１】
非一時的コンピュータ読み取り可能な媒体で実施されるコンピュータプログラムにおいて、請求項１から６又は１４から１６のいずれか１項に記載のプロセスを遂行するためにプロセッサを制御するよう構成されたコンピュータプログラム。
【発明の詳細な説明】
【技術分野】
【０００１】
関連出願の相互参照：本出願は、２０１５年１２月２１に出願された米国プロビジョナル特許出願第６２／２７０，３１８号から優先権を主張する。先に出願された該特許出願の全内容が参考としてここにそのまま援用される。
【０００２】
本発明の実施形態は、一般的に、ワイヤレス又は移動通信ネットワーク、例えば、ユニバーサル移動テレコミュニケーションズシステム（ＵＭＴＳ）地上無線アクセスネットワーク（ＵＴＲＡＮ）、長期進化（ＬＴＥ）進化型ＵＴＲＡＮ（Ｅ−ＵＴＲＡＮ）、ＬＴＥアドバンスト（ＬＴＥ−Ａ）、将来の５Ｇ無線アクセステクノロジー、及び／又は高速パケットアクセス（ＨＳＰＡ）に関するものであるが、これに限定されない。例えば、幾つかの実施形態は、パワーナップを取り入れるユーザ装置（ＵＥ）のインターネットプロトコルマルチメディアサブシステム（ＩＭＳ）認識(awareness)に関するものである。
【背景技術】
【０００３】
ユニバーサル移動テレコミュニケーションズシステム（ＵＭＴＳ）地上無線アクセスネットワーク（ＵＴＲＡＮ）は、ベースステーション又はノードＢ、及び例えば、無線ネットワークコントローラ（ＲＮＣ）を含む通信ネットワークを指す。ＵＴＲＡＮは、ユーザ装置（ＵＥ）とコアネットワークとの間の接続を許す。ＲＮＣは、１つ以上のノードＢのための制御機能を与える。ＲＮＣ及びそれに対応するノードＢは、無線ネットワークサブシステム（ＲＮＳ）と称される。Ｅ−ＵＴＲＡＮ（エンハンストＵＴＲＡＮ）のケースでは、ＲＮＣが存在せず、そして進化型ノードＢ（ｅＮｏｄｅＢ又はｅＮＢ）或いは多数のｅＮＢには無線アクセス機能が設けられる。例えば、整合型マルチポイント送信（ＣｏＭＰ）の場合の単一ＵＥ接続、及び二重接続には、多数のｅＮＢが関与する。
【０００４】
長期進化（ＬＴＥ）又はＥ−ＵＴＲＡＮは、新規な無線アクセステクノロジーを提供するもので、改善された効率及びサービス、低いコスト、及び新規なスペクトル機会の利用によるＵＭＴＳの改善を指す。特に、ＬＴＥは、少なくとも、例えば、７５メガビット／秒（Ｍｂｐｓ）／キャリアのアップリンクピークレート、及び少なくとも、例えば、３００Ｍｂｐｓ／キャリアのダウンリンクピークレートを提供する３ＧＰＰ規格である。ＬＴＥは、２０ＭＨｚから１．４ＭＨｚまでの拡張可能なキャリア帯域巾をサポートすると共に、周波数分割デュープレックス（ＦＤＤ）及び時分割デュープレックス（ＴＤＤ）の両方をサポートする。
【０００５】
上述したように、ＬＴＥは、ネットワークのスペクトル効率も改善し、キャリアが所与の帯域巾にわたってより多くのデータ及びボイスサービスを提供するのを許す。それ故、ＬＴＥは、大容量のボイスサポートに加えて、高速データ及びメディアサポートの必要性を満足するように設計される。ＬＴＥの利点は、例えば、高いスループット、低いレイテンシー、同じプラットホームにおけるＦＤＤ及びＴＤＤのサポート、エンドユーザ経験の改善、及び低い運転コストを導く簡単なアーキテクチャーを含む。
【０００６】
３ＧＰＰ  ＬＴＥのあるリリース（例えば、ＬＴＥ  Ｒｅｌ−１１、ＬＴＥ  Ｒｅｌ−１２、ＬＴＥ  Ｒｅｌ−１３）は、国際移動テレコミュニケーションズアドバンスト（ＩＭＴ−Ａ）システムをターゲットとするもので、これは、ここでは、単に便宜上、ＬＴＥアドバンスト（ＬＴＥ−Ａ）と称される。ＬＴＥ−Ａは、３ＧＰＰ  ＬＴＥ無線アクセステクノロジーの拡張及び最適化に向けられる。ＬＴＥ−Ａの目標は、高いデータレート、低いレイテンシー及び安価なコストにより、著しく向上したサービスを提供することである。ＬＴＥ−Ａは、下位互換性を保ちつつＩＭＴアドバンストのための国際電気通信連合−無線部門（ＩＴＵ−Ｒ）の要件を満足する最適な無線システムである。
【０００７】
インターネットプロトコルマルチメディアサブシステム（ＩＭＳ）は、インターネットプロトコル（ＩＰ）マルチメディアサービスをＵＥに提供するための構造的な枠組みである。ＩＭＳは、可能な場合は、セッションイニシエーションプロトコル（ＳＩＰ）のようなインターネットエンジニアリングタスクフォース（ＩＥＴＦ）プロトコルを使用する。ＩＭＳは、一般的に、ワイヤレス及びワイヤラインターミナルからマルチメディア及びボイスアプリケーションのアクセスを支援するよう意図されている。
【発明の概要】
【０００８】
１つの実施形態は、アクセスサーバーにより、少なくとも１つのユーザ装置のイベント通知にサブスクライブすることを含む方法に向けられる。サブスクライブするとは、アクセスサーバーが少なくとも１つのユーザ装置の状態情報の受け取りを希望することをサブスクライバサーバーに指示することを含む。この方法は、更に、サブスクライバサーバーから、少なくとも１つのユーザ装置の状態情報を受け取ることを含む。
【０００９】
別の実施形態は、少なくとも１つのプロセッサ、及びコンピュータプログラムコードを含む少なくとも１つのメモリを備えた装置に向けられる。少なくとも１つのメモリ及びコンピュータプログラムコードは、少なくとも１つのプロセッサとで、装置が、少なくとも、例えば、装置が少なくとも１つのユーザ装置の状態情報の受け取りを希望することをサブスクライバサーバーに指示することにより、少なくとも１つのユーザ装置のイベント通知にサブスクライブするようにさせるよう構成される。少なくとも１つのメモリ及びコンピュータプログラムコードは、少なくとも１つのプロセッサとで、装置が、少なくとも、サブスクライバサーバーから、少なくとも１つのユーザ装置の状態情報を受け取るようにさせるよう構成される。
【００１０】
別の実施形態は、少なくとも１つのユーザ装置のイベント通知にサブスクライブするためのサブスクライブ手段を備えた装置に向けられる。そのサブスクライブ手段は、装置が少なくとも１つのユーザ装置の状態情報の受け取りを希望することをサブスクライバサーバーに指示するための手段を含む。装置は、更に、サブスクライバサーバーから、少なくとも１つのユーザ装置の状態情報を受け取るための受け取り手段を備えている。
【００１１】
別の実施形態は、アクセスサーバーが少なくとも１つのユーザ装置の状態情報の受け取りを希望するとの指示を少なくとも１つのユーザ装置に関連したサブスクライバサーバーで受け取り、少なくとも１つのユーザ装置がアクティブであるときに通知されるべき移動マネージメントエンティティへ要求を送出し、少なくとも１つのユーザ装置がアクティブになるときに、少なくとも１つのユーザ装置がアクティブであるとの指示、及び少なくとも１つのユーザ装置がアクティブになる期間の指示を受け取り、及び少なくとも１つのユーザ装置の状態情報をアクセスサーバーへ送出する、ことを含む方法に向けられる。状態情報は、少なくとも１つのユーザ装置がアクティブであるとの指示、及び少なくとも１つのユーザ装置がアクティブになる期間の指示を含む。
【００１２】
別の実施形態は、少なくとも１つのプロセッサ、及びコンピュータプログラムコードを含む少なくとも１つのメモリを備えた装置に向けられる。少なくとも１つのメモリ及びコンピュータプログラムコードは、少なくとも１つのプロセッサとで、装置が、少なくとも、アクセスサーバーが少なくとも１つのユーザ装置の状態情報の受け取りを希望するとの指示を受け取り、少なくとも１つのユーザ装置がアクティブであるときに通知されるべきとの要求を移動マネージメントエンティティへ送出し、少なくとも１つのユーザ装置がアクティブになるときに、少なくとも１つのユーザ装置がアクティブであるとの指示、及び少なくとも１つのユーザ装置がアクティブになる期間の指示を受け取り、及び少なくとも１つのユーザ装置の状態情報をアクセスサーバーへ送出する、ようにさせるよう構成される。状態情報は、少なくとも１つのユーザ装置がアクティブであるとの指示、及び少なくとも１つのユーザ装置がアクティブになる期間の指示を含む。
【００１３】
別の実施形態は、アクセスサーバーが少なくとも１つのユーザ装置の状態情報の受け取りを希望するとの指示を受け取るための受け取り手段、少なくとも１つのユーザ装置がアクティブであるときに通知されるべきとの要求を移動マネージメントエンティティへ送出するための送出手段、少なくとも１つのユーザ装置がアクティブになるときに、少なくとも１つのユーザ装置がアクティブであるとの指示、及び少なくとも１つのユーザ装置がアクティブになる期間の指示を受け取るための受け取り手段、及び少なくとも１つのユーザ装置の状態情報をアクセスサーバーへ送出するための送出手段、を備えた装置に向けられる。前記状態情報は、少なくとも１つのユーザ装置がアクティブであるとの指示、及び少なくとも１つのユーザ装置がアクティブになる期間の指示を含む。
【００１４】
本発明を適切に理解するために、添付図面を参照する。
【図面の簡単な説明】
【００１５】
【図１】一実施形態によるＩＭＳネットワーク構成のブロック図である。
【図２ａ】一実施形態による装置のブロック図である。
【図２ｂ】別の実施形態による装置のブロック図である。
【図３ａ】一実施形態による方法のフローチャートである。
【図３ｂ】一実施形態による方法のフローチャートである。
【図４ａ】一実施形態による方法のフローチャートである。
【図４ｂ】一実施形態による方法のフローチャートである。
【図５】一実施形態による方法のフローチャートである。
【図６】一実施形態による方法のフローチャートである。
【発明を実施するための形態】
【００１６】
一般的に図示して説明する本発明のコンポーネントは、広く様々な異なる構成で配置され及び設計されることが容易に理解されよう。従って、添付図面に示す、高レイテンシーデバイスのＩＭＳレベル認識を与えるシステム、方法、装置及びコンピュータプログラム製品の実施形態の以下の詳細な説明は、本発明の範囲を限定するものではなく、本発明の幾つかの選択された実施形態を単に表わすものである。
【００１７】
本明細書全体にわたって述べる本発明の特徴、構造又は特性は、１つ以上の実施形態において適当な仕方で組み合わされてもよい。例えば、本明細書全体にわたって「ある実施形態」、「幾つかの実施形態」という句又は他の同様の言語を使用することは、その実施形態に関連して述べる特定の特徴、構造又は特性が本発明の少なくとも１つの実施形態に含まれてもよいことを指す。従って、本明細書全体にわたって「ある実施形態では」、「幾つかの実施形態では」、「他の実施形態では」という句又は他の同様の言語が現れることは、必ずしも、それらが全て同じグループの実施形態を指すものではなく、そしてここに述べる特徴、構造又は特性は、１つ以上の実施形態において適当な仕方で組み合わされてもよい。
【００１８】
更に、要望があれば、以下に述べる異なる機能が互いに異なる順序で及び／又は同時に遂行されてもよい。更に、要望があれば、ここに述べる機能の１つ以上が任意でもよいし又は組み合わされてもよい。従って、以下の説明は、本発明の原理、教示及び実施形態を単に例示するもので、限定するものではないと考えねばならない。
【００１９】
移動ネットワークに接続されるユーザ装置（ＵＥ）は、３ＧＰＰ  ＴＳ２３．４０１に規定されたＵＥ節電モードに対してデータ通信（例えば、サーバー開始の）の終了のために到達可能となるようにネットワークへの周期的な更新を要求する。更新と更新との間の期間は、構成にもよるが、非常に長い（例えば、１３日）。ＵＥが節電モード（例えば、その無線受信器を遮断することによる「スリープ」）にあるとき、ネットワークは、ＵＥにダウンリンクデータを送信することができず、送信側エンティティ（例えば、サーバー）は再送信を行って、ネットワーク内に不必要なシグナリングを生じさせることがある。
【００２０】
ＬＴＥは、あるＵＥが長時間スリープするのを許し、これは、節電モードに伴う高レイテンシー（ＨＬ）ＵＥと称される。マシンタイプ通信（ＭＴＣ）では、再送信を回避する方法は規定されているが、ＩＭＳは考慮されていない。又、ＩＭＳにとって、再送信を回避し、従って、ネットワークへの余計なシグナリングを回避するためにＵＥが高レイテンシーであると認識することも有益である。
【００２１】
長期進化（ＬＴＥ）ネットワークの名前でも知られている進化型パケットシステム（ＥＰＳ）は、汎用パケット無線システム（ＧＰＲＳ）が進化したものである。ＥＰＳは、Ｅ−ＵＴＲＡＮ無線アクセスネットワーク及び進化型パケットコア（ＥＰＣ）を備えている。ＥＰＳは、ブロードバンドワイヤレスデータアクセスのための新規な無線インターフェイス及び新規なＥＰＣネットワーク機能を与える。
【００２２】
３ＧＰＰは、サーバーが「スリープ中」のＵＥへダウンリンクデータを再送信し続ける可能性を最小にするためＵＥが節電モード（ＰＳＭ）にあるというシナリオに対するＥＰＣレベル取り扱いを規定している。その３ＧＰＰ研究（３ＧＰＰ  ＴＲ２３．７０９における）は、ＭＴＣデバイス（３ＧＰＰ  ＴＳ２３．６８２）に焦点を当て、従って、規定された解決策は、主として、３ＧＰＰ  ＴＳ２３．６８２に規定されたＭＴＣサーバー（サービスケーパビリティサーバー／アプリケーションサーバー）に適用された。
【００２３】
３ＧＰＰ研究は、ＵＥがＩＭＳ  ＵＥでもあって且つ節電モード又は改善型不連続受信（ｅＤＲＸ）をサポートする場合にはＩＭＳネットワークへの影響を考慮していない。ＩＭＳでのセッション設定に対して、プロキシーコールセッションコントロール機能（Ｐ−ＣＳＣＦ）は、着信するＳＩＰメッセージ（例えば、ＩＮＶＩＴＥ）を受信し、これは、通常、ＵＥに向けたページングメッセージの送信をトリガーする。しかし、ＥＰＣネットワークは、ＵＥが到達不能であることを認識しているので、ＵＥをページングせず、そしてＵＥがＰＳＭモードにあるときには（又は拡張ＤＲＸサイクルを実行するときには）、応答しない。従って、Ｐ−ＣＳＣＦは、メッセージを再送信する必要がある（メッセージを破棄する前に少なくとも一度は）。これは、ネットワークに不必要なシグナリング負荷を生成し、多数のネットワークエンティティにおいて処理能力を浪費する。
【００２４】
ＩＭＳでの別の考えられるシナリオは、ＩＭＳを使用する自動的ｅＣａｌｌデバイスのサポートである。ｅＣａｌｌ専用のＵＥは、事故が起きて自動的非常コールが必要になるまでネットワークに位置又は周期的更新を送信しない。ＩＭＳ  ｅＣａｌｌの標準化活動が丁度スタートし、この時点で考えられる解決策に関する制限は存在しない。ＩＭＳ  ｅＣａｌｌは、必要なとき（例えば、事故）だけネットワーク活動をトリガーする回路切り換え（ＣＳ）型ｅＣａｌｌ解決策に従うことが考えられる。しかしながら、ＩＭＳ  ｅＣａｌｌ  ＵＥは、単にＣＳ  ｅＣａｌｌに従う以上の振舞いをなすことも予見でき、これは、初期ＩＭＳ登録を遂行しそして幾つかのパラメータをネットワークと交換した後は、節電モードを呼び出すときのＵＥと同様に長期間ＩＭＳと通信しないというものである。その結果、ＩＭＳがそのような「高レイテンシー」ＵＥを認識することが重要で、これは、ＩＭＳが、現在許された最長期間（即ち、１週間を越える期間まで）より長い登録満了時間を設定するのを許す。
【００２５】
ある実施形態は、ＩＭＳ手順を適宜に適応させるためにＩＭＳが高レイテンシーデバイスを認識できるようにする（例えば、節電モードか、又はＩＭＳ  ｅＣａｌｌ専用のデバイスのように通常ＩＭＳに長期間（再）登録しないＩＭＳ  ＵＥかのいずれかにおいて）解決策を提供する。
【００２６】
図１は、本発明の実施形態によりＥＰＣに向かうＬＴＥアクセスを使用するときのＩＭＳネットワーク構成１００の規範的なブロック図である。
【００２７】
１つの実施形態において、特定のＩＰアドレス範囲から得られる専用ＩＰアドレスが高レイテンシー（ＨＬ）ＩＭＳデバイスに指定される。この実施形態によれば、ＵＥ１０１がＬＴＥ／ＥＰＣにアタッチされそしてＵＥ１０１がＨＬデバイスであると指示したときには、ＥＰＣにより指定された（即ち、パケットデータネットワークゲートウェイ１０５により指定された）ＩＰアドレスが、ＨＬ通信デバイスに対して指示された特殊なＩＰアドレス範囲から得られる。ある実施形態では、ＵＥ１０１は、ＬＴＥ／ＥＰＣにアタッチされ、そしてＵＥ１０１がＨＬデバイスであることを指示するが、これは、例えば、「アクティブ時間」を要求し（即ち、ＰＳＭ指示を送信し）、ｅＤＲＸ時間を要求し（即ち、アイドルモードにおいて延長ページングサイクルを要求するための指示を送信し）、特定のＡＰＮを要求し、又は他の代替的動作により行われる。
【００２８】
Ｐ−ＣＳＣＦ１１０は、ＨＬデバイスに対して指示されたＩＰ範囲を含む同じ構成テーブルを記憶する。ＵＥがＧｍを経てＰ−ＣＳＣＦ１１０に向けてＩＭＳ登録を遂行するときに、Ｐ−ＣＳＣＦ１１０は、ＳＩＰ登録要求内で与えられ且つＥＰＣアタッチ手順の間にＵＥ１０１に指定されるＵＥのＩＰアドレスに基づき、このＵＥがＨＬ  ＩＭＳ  ＵＥであると決定することができる。ここで、Ｐ−ＣＳＣＦ１１０は、ＵＥ１０１に対して異なる（即ち、長い）再送信時間を使用する。というのは、ＵＥがＨＬのＩＰアドレス範囲に入りそしてＨＬデバイスであると識別されているからである。この実施形態は、Ｐ−ＣＳＣＦ１１０がＨＬ  ＩＭＳ  ＵＥへの再送信の数を最小にするように再送信タイマーを調整するのを許す。
【００２９】
別の実施形態は、明確なＩＭＳシグナリング指示を使用する。この実施形態によれば、ＩＭＳ  ＵＥ１０１がスリープに入る前に、ＵＥ１０１のＩＭＳアプリケーションは、ＩＭＳに向かってＧｍインターフェイスを経て明確な指示を送信し、これは、ＵＥがもはや到達できないことを指示する。又、ＩＭＳ  ＵＥ１０１は、将来の利用性に関する情報、例えば、次のウェイクアップ期間の日時も送信する（これは、再び利用できることを指示するためのメッセージを送信する必要性を排除する）。又、更に別の実施形態として、ＩＭＳ  ＵＥ１０１は、その将来の利用性に関する多様な情報、例えば、利用性の通常サイクル又は一連の周期も送信する（これは、ＵＥが利用性サイクル又は周期を変更するまで更なる「スリープへ進む(going to sleep)」又は「丁度ウェイクアップした(just woke up)」メッセージを送信する必要性を排除する）。考えられる具現化は、新規なＳＩＰヘッダフィールド又はヘッダフィールドパラメータを（例えば、コンタクトヘッダフィールド内に）含むＳＩＰ  ＭＥＳＳＡＧＥをＵＥ１０１が使用することを含む。他のエンコーディングも考えられる。
【００３０】
一実施形態では、ＵＥ１０１がウェイクしたとき、ＵＥ１０１のＩＭＳアプリケーションは、それが今や（再び）到達可能であるとの明確な指示を、スリープに至るときに利用性に関する情報がまだ送信されていない限り、Ｇｍを経てＩＭＳへ送信する。そのような情報の受信者は、ＩＭＳ登録状態を認識してＵＥ１０１に向けてサービス要求を転送するＳ−ＣＳＣＦ１１５である。この実施形態は、ＩＭＳがＵＥ１０１に向けて不必要なＳＩＰシグナリングを送信するのを回避し、そしてＨＬ  ＩＭＳ  ＵＥにアドレスするときに全再送信問題の発生を防止するのを許す。加えて、到達性情報は、Ｓ−ＣＳＣＦ１１５（Ｍｗ）を経てＩＭＳアクセスサーバー（ＡＳ）に向けて通過され、従って、サービス要求のソースとして働くＩＭＳ  ＡＳは、着信ＳＩＰメッセージのバッファ動作のような更なる最適化を遂行することができる。この実施形態は、例えば、テキストメッセージを搬送するＳＩＰシグナリングのための非リアルタイム媒体に適用することができる。
【００３１】
更に別の実施形態では、ＥＰＣは、ポリシー・課金コントロール（ＰＣＣ）フレームワークを経てＩＭＳネットワークへ指示を送信する。３ＧＰＰ  ＴＳ２３．４０１に規定された節電モード特徴では、移動マネージメントエンティティ（ＭＭＥ）及びＵＥは、アクティブ時間及び周期的追跡エリア更新（ＴＡＵ）タイマーをネゴシエーションすることができる。同様に、ｅＤＲＸについては、ＭＭＥ及びＵＥは、ｅＤＲＸタイマーをネゴシエーションすることができる。又、ＭＭＥは、ＵＥがＥＣＭ−ＣＯＮＮＥＣＴＥＤからＥＰＳ接続マネージメント（ＥＣＭ）−ＩＤＬＥへ移動した後にそれが節電モードに入るときも分かる。同様に、ｅＤＲＸの場合に、ＭＭＥは、ページング時間窓の長さを指定し、そしてこの値を、延長アイドルモードＤＲＸサイクル長さと共にアタッチ／ＴＡＵ手順の間にＵＥに与える。第１のページング発生は、ページングハイパーフレーム内である。ＵＥは、第１のページング発生の後に付加的なページング時間窓長さのページングメッセージに対して到達可能であると仮定する。
【００３２】
この実施形態では、ＵＥ１０１がＥＣＭ−ＩＤＬＥへ進むとき（例えば、ｅＮＢがＵＥをＲＲＣ接続から解除するとき）、ＭＭＥは、ＵＥ１０１がまだネットワークページングから到達可能である実際の時間、及び実際のスリープ期間をＰ−ＧＷ１０５に指示する。Ｐ−ＧＷ１０５は、Ｇｘインターフェイスを経てＰＣＲＦ１０７にその両情報を指示する（即ち、到達のために残された時間及びその後のスリープ期間）。ＰＣＲＦ１０７は、Ｐ−ＣＳＣＦ１１０に向けてＲｘインターフェイスを経て情報を指示する。
【００３３】
この実施形態は、ＵＥ１０１がスリープへと進むとき及びＵＥ１０１が再び到達可能となるときをＰ−ＣＳＣＦ１１０が知るのを許し、従って、ＨＬ  ＩＭＳ  ＵＥへの全再送信を回避する。又、これは、ＵＥが到達可能となるときをＩＭＳネットワークが知るのも許す。情報は、Ｓ−ＣＳＣＦ１１５（Ｍｗ）を経てＩＭＳ  ＡＳに向けて通過させることができ、従って、ＩＭＳ  ＡＳは、ＵＥ１０１に向けてサービス要求を送信するときに関して更なる最適化を遂行することができる。
【００３４】
更に別の実施形態では、ＩＭＳ  ＡＳは、ＭＭＥからＨＳＳを経てイベント通知にサブスクライブする。この実施形態では、ＩＭＳ  ＡＳは、ＵＥ１０１がウェイクし及びそれが到達可能である場合に通知を希望することを、Ｓｈインターフェイスを経てＨＳＳに指示する。この実施形態では、（Ｓ６ａを経て）ＨＳＳは、ＵＥ１０１が再び到達可能であるとき、及びそれがどれほど長く到達可能であるか、についてＨＳＳに通知を送信するようＭＭＥに要求する。ＵＥ１０１がアクティブになるとき、ＭＭＥは、到達可能な期間についてＳ６ａを経てＨＳＳに通知する。又、ＭＭＥは、ＵＥ１０１がスリープ（例えば、到達不能な状態）に戻るとき、及びどれほど長くスリープに戻るかについてＨＳＳに通知する。ＨＳＳは、この状態情報を、Ｓｈインターフェイスを経てＩＭＳ  ＡＳへ返送する（例えば、状態情報：今や到達可能及びどれほど長く、今や到達不能及びどれほど長く）。ＩＭＳ  ＡＳは、この情報を考慮し、そしてスリープ期間中に着信するＳＩＰメッセージの送信を回避することができる。
【００３５】
この実施形態は、ＵＥ１０１がスリープになるとき及びＵＥ１０１が再び到達可能となるときをＩＭＳ  ＡＳが知るのを許し、従って、到達不能なＵＥへの不必要なＳＩＰシグナリングメッセージを回避する。ＡＳは、この知識を使用して、もし可能であれば、着信するＳＩＰシグナリングメッセージをバッファすることができる。これは、非リアルタイム媒体、例えば、テキストメッセージを搬送するＳＩＰシグナリングに適用してもよい。
【００３６】
上述したいずれの実施形態も、ＩＭＳがＨＬ  ＵＥを認識するのを許す。上述した幾つかの実施形態において、ネットワーク側は、スリープ期間も認識する。しかしながら、ＳＩＰ再登録の取り扱いも考慮される。３ＧＰＰ  ＴＳ２４．２２９によれば、ＩＭＳ再登録タイマーの内部最大値は、６００，０００秒であり、Ｓ−ＣＳＣＦ１１５は、その値を減少させる。ＨＬ  ＵＥは、例えば、長い期間の節電モードにより長時間スリープに入っているために６００，０００秒以内にウェイクしないので、ネットワーク側でこの状態を取り扱うことが考えられる。１つの方法は、ネットワークがスリープ期間中に再登録のリフレッシュを期待しないことである。これは、スリープ期間が経過した後にＵＥが直ちに再登録するので、ネットワークがＵＥコンテクストを長時間保持するのを許す。
【００３７】
図２ａは、一実施形態による装置１０の一例を示す。一実施形態では、装置１０は、通信ネットワークのノード、ホスト又はサーバーであるか、或いはそのようなネットワークにサービスする。例えば、ある実施形態では、装置１０は、無線アクセスネットワークのネットワークノード又はアクセスノード、例えば、ベースステーション、例えば、ＵＭＴＳのＮｏｄｅＢ（ＮＢ）或いはＬＴＥ又はＬＴＥ−ＡのｅＮｏｄｅＢ（ｅＮＢ）、Ｐ−ＣＳＣＦ、Ｓ−ＣＳＣＦ、ＭＭＥ、或いはＩＭＳのアクセスサーバーである。しかしながら、他の実施形態では、装置１０は、無線アクセスネットワーク内の他のコンポーネントである。当業者であれば、装置１０は、図２ａに示されていないコンポーネント又は特徴を含んでもよいと理解されることに注意されたい。
【００３８】
図２ａに示すように、装置１０は、情報を処理しそしてインストラクション又はオペレーションを実行するためのプロセッサ２２を備えている。プロセッサ２２は、任意のタイプの汎用又は特殊目的プロセッサでよい。図２ａには、単一のプロセッサ２２が示されているが、他の実施形態では多数のプロセッサが使用されてもよい。実際に、プロセッサ２２は、例えば、汎用コンピュータ、特殊目的コンピュータ、マイクロプロセッサ、デジタル信号プロセッサ（ＤＳＰ）、フィールドプログラマブルゲートアレイ（ＦＰＧＡ）、特定用途向け集積回路（ＡＳＩＣ）、及びマルチコアプロセッサアーキテクチャーに基づくプロセッサ、の１つ以上を含む。
【００３９】
装置１０は、更に、メモリ１４（内部又は外部）を備えるか又はそれに結合され、このメモリは、プロセッサ２２に結合され、プロセッサ２２により実行されるインストラクション及び情報を記憶する。メモリ１４は、１つ以上のメモリでよく、ローカルアプリケーション環境に適した任意のタイプであり、そして任意の適当な揮発性又は不揮発性データストレージテクノロジー、例えば、半導体ベースのメモリデバイス、磁気メモリデバイス及びシステム、光学的メモリデバイス及びシステム、固定メモリ、及び除去可能なメモリを使用して具現化される。例えば、メモリ１４は、ランダムアクセスメモリ（ＲＡＭ）、リードオンリメモリ（ＲＯＭ）、磁気又は光学ディスクのようなスタティックストレージ、或いは他のタイプの非一時的マシン又はコンピュータ読み取り可能な媒体の任意の組み合わせで構成されてもよい。メモリ１４に記憶されるインストラクションは、プロセッサ２２により実行されたときに、装置１０がここに述べるタスクを遂行できるようにするプログラムインストラクション又はコンピュータプログラムコードを含む。
【００４０】
幾つかの実施形態では、装置１０は、信号及び／又はデータを装置１０へ送信し及び／又は装置１０から受信するために１つ以上のアンテナ２５を備えるか又はそれに結合される。装置１０は、更に、情報を送信及び受信するように構成されたトランシーバ２８を備えるか又はそれに結合される。例えば、トランシーバ２８は、アンテナ２５により送信するために搬送波上に情報を変調し、及びアンテナ２５を経て受信した情報を、装置１０の他の要素で更に処理するために復調するように構成される。他の実施形態では、トランシーバ２８は、信号又はデータを直接送信及び受信することもできる。
【００４１】
プロセッサ２２は、装置１０のオペレーションに関連した機能を遂行し、これは、例えば、アンテナ利得／位相パラメータの事前コーディング、通信メッセージを形成する個々のビットのエンコーディング及びデコーディング、情報のフォーマット化、及び通信リソースの管理に関連したプロセスを含めた装置１０の全制御を含む。
【００４２】
一実施形態において、メモリ１４は、プロセッサ２２により実行されたときに機能を与えるソフトウェアモジュールを記憶する。これらモジュールは、例えば、装置１０のオペレーティングシステム機能を与えるオペレーティングシステムを含む。又、メモリは、装置１０の付加的な機能を与えるためにアプリケーション又はプログラムのような１つ以上の機能的モジュールも記憶する。装置１０のコンポーネントは、ハードウェアで具現化されてもよいし、又はハードウェア及びソフトウェアの適当な組み合わせとして具現化されてもよい。
【００４３】
１つの実施形態において、装置１０は、ネットワークノード又はアクセスノード、例えば、ＵＭＴＳのベースステーション、ＬＴＥ又はＬＴＥ−ＡのｅＮＢ、Ｐ−ＣＳＣＦ、Ｓ−ＣＳＣＦ、ＰＣＲＦ、ＭＭＥ、又はＩＭＳのアクセスサーバーである。ある実施形態によれば、装置１０は、ＵＥをＥＰＣにアタッチするときに、ＵＥが高レイテンシーデバイスであるとの指示を受け取るために、少なくとも１つのメモリ１４及び少なくとも１つのプロセッサ２２により制御される。一実施形態では、その指示は、「アクティブ時間」要求（即ち、ＰＳＭ指示の受信）、ｅＤＲＸ時間要求（即ち、アイドルモードにおいて延長ページングサイクルを要求する指示の受信）、特定のＡＰＮの要求、又は他の代替的なものを含む。次いで、装置１０は、特に高レイテンシーデバイスに対して指示される特殊なＩＰアドレス範囲から選択されたＩＰアドレスをＵＥに指定するために少なくとも１つのメモリ１４及び少なくとも１つのプロセッサ２２により制御される。一実施形態では、装置１０は、高レイテンシーデバイスに対して指示される特殊なＩＰアドレス範囲を含む構成テーブルを記憶するために少なくとも１つのメモリ１４及び少なくとも１つのプロセッサ２２により制御される。ＵＥがＩＭＳ登録を遂行するときに、装置１０は、ＩＭＳ登録要求と共に与えられ且つＥＰＣアタッチ手順の間に指定されたＵＥのＩＰアドレスに基づいてＵＥが高レイテンシーＵＥであると決定することができる。１つの実施形態において、装置１０は、指定のＩＰアドレスに基づいて高レイテンシーデバイスであると識別されたときにＵＥに対して長い再送信時間を使用するために少なくとも１つのメモリ１４及び少なくとも１つのプロセッサ２２により制御される。
【００４４】
別の実施形態では、装置１０は、ＵＥがもはや到達不能であるとの明確な指示をＵＥから受け取るように、少なくとも１つのメモリ１４及び少なくとも１つのプロセッサ２２により制御される。１つの規範的実施形態では、明確な指示は、ＳＩＰメッセージの新規なＳＩＰヘッダフィールド又はヘッダフィールドパラメータにおいて受信される。一実施形態によれば、装置１０は、ＵＥの将来の利用性に関する情報を受け取るように、少なくとも１つのメモリ１４及び少なくとも１つのプロセッサ２２により制御される。例えば、将来の利用性に関する情報は、次のウェイクアップ期間の日時を含む。別の例では、装置１０は、ＵＥの将来の利用性に関するより多様性のある情報、例えば、利用性の通常サイクル又は一連の周期を受け取るように、少なくとも１つのメモリ１４及び少なくとも１つのプロセッサ２２により制御される。１つの実施形態によれば、ＵＥが再びウェイクするとき、装置１０は、ＵＥが今や到達可能であるとの明確な指示を受け取るように、少なくとも１つのメモリ１４及び少なくとも１つのプロセッサ２２により制御される。
【００４５】
別の実施形態では、装置１０は、ＵＥがアイドルモード（例えば、ＥＣＭ−ＩＤＬＥ）へ移動するか又はＲＲＣ接続から解除されるときに、ＵＥがネットワークページングからまだ到達可能である実際の時間及び実際のスリープ期間の指示をネットワークノード（例えば、Ｐ−ＧＷ、ＰＣＲＦ及び／又はＰ−ＣＳＣＦ）へ送信するように、少なくとも１つのメモリ１４及び少なくとも１つのプロセッサ２２により制御される。
【００４６】
別の実施形態では、装置１０は、ＵＥがウェイクし且つ到達可能であるときに装置１０がその通知を希望することをＵＥに関連したサブスクライバサーバー（例えば、ＨＳＳ）に指示するように、少なくとも１つのメモリ１４及び少なくとも１つのプロセッサ２２により制御される。サブスクライバサーバーは、次いで、ＵＥが再び到達可能になるとき及びどれほど長く到達可能であるかの通知をサブスクライバサーバーへ送信するための要求をＭＭＥへ送信する。ＵＥがアクティブになるとき、ＭＭＥは、ＵＥが到達可能であることをサブスクライバサーバーに通知すると共に、到達可能の期間をサブスクライバサーバーに通知する。又、ＭＭＥは、ＵＥがスリープに戻るとき及びどれほど長くスリープに戻るかをサブスクライバサーバーに通知する。次いで、装置１０は、ＵＥが到達可能であり及びどれほど長くそうであるかの情報、及び／又はＵＥが到達可能ではなく及びどれほど長くそうであるかの情報を含むＵＥの状態情報をサブスクライバサーバーから受け取るように、少なくとも１つのメモリ１４及び少なくとも１つのプロセッサ２２により制御される。次いで、装置１０は、この情報を考慮し、そして着信ＳＩＰメッセージをスリープ期間中にＵＥへ送信するのを回避する。
【００４７】
図２ｂは、別の実施形態による装置２０の一例を示す。一実施形態において、装置２０は、通信ネットワーク内にあるか又はそのようなネットワークに関連したノード又は要素、例えば、ＵＥ、移動デバイス、移動ユニット、マシンタイプＵＥ、又は他のデバイスである。例えば、幾つかの実施形態において、装置２０は、ＬＴＥ又はＬＴＥ−ＡのＵＥである。当業者であれば、装置２０は、図２ｂに示されていないコンポーネント又は特徴を含んでもよいと理解されることに注意されたい。
【００４８】
図２ｂに示すように、装置２０は、情報を処理しそしてインストラクション又はオペレーションを実行するためのプロセッサ３２を備えている。プロセッサ３２は、任意のタイプの汎用又は特殊目的プロセッサでよい。図２ｂには、単一のプロセッサ３２が示されているが、他の実施形態では多数のプロセッサが使用されてもよい。実際に、プロセッサ３２は、例えば、汎用コンピュータ、特殊目的コンピュータ、マイクロプロセッサ、デジタル信号プロセッサ（ＤＳＰ）、フィールドプログラマブルゲートアレイ（ＦＰＧＡ）、特定用途向け集積回路（ＡＳＩＣ）、及びマルチコアプロセッサアーキテクチャーに基づくプロセッサ、の１つ以上を含む。
【００４９】
装置２０は、更に、メモリ３４（内部又は外部）を備えるか又はそれに結合され、このメモリは、プロセッサ３２に結合され、プロセッサ３２により実行されるインストラクション及び情報を記憶する。メモリ３４は、１つ以上のメモリでよく、ローカルアプリケーション環境に適した任意のタイプであり、そして任意の適当な揮発性又は不揮発性データストレージテクノロジー、例えば、半導体ベースのメモリデバイス、磁気メモリデバイス及びシステム、光学的メモリデバイス及びシステム、固定メモリ、及び除去可能なメモリを使用して具現化される。例えば、メモリ３４は、ランダムアクセスメモリ（ＲＡＭ）、リードオンリメモリ（ＲＯＭ）、磁気又は光学ディスクのようなスタティックストレージ、或いは他のタイプの非一時的マシン又はコンピュータ読み取り可能な媒体の任意の組み合わせで構成されてもよい。メモリ３４に記憶されるインストラクションは、プロセッサ３２により実行されたときに、装置２０がここに述べるタスクを遂行できるようにするプログラムインストラクション又はコンピュータプログラムコードを含む。
【００５０】
幾つかの実施形態では、装置２０は、信号及び／又はデータを装置２０へ送信し及び／又は装置２０から受信するために１つ以上のアンテナ３５を備えるか又はそれに結合される。装置２０は、更に、情報を送信及び受信するように構成されたトランシーバ３８を備えている。例えば、トランシーバ３８は、アンテナ３５により送信するために搬送波上に情報を変調し、及びアンテナ３５を経て受信した情報を、装置２０の他の要素で更に処理するために復調するように構成される。他の実施形態では、トランシーバ３８は、信号又はデータを直接送信及び受信することもできる。
【００５１】
プロセッサ３２は、装置２０のオペレーションに関連した機能を遂行し、これは、例えば、アンテナ利得／位相パラメータの事前コーディング、通信メッセージを形成する個々のビットのエンコーディング及びデコーディング、情報のフォーマット化及び通信リソースの管理に関連したプロセスを含めた装置１０の全制御を含むが、これに限定されない。
【００５２】
一実施形態において、メモリ３４は、プロセッサ３２により実行されたときに機能を与えるソフトウェアモジュールを記憶する。これらモジュールは、例えば、装置２０のオペレーティングシステム機能を与えるオペレーティングシステムを含む。又、メモリは、装置２０の付加的な機能を与えるためにアプリケーション又はプログラムのような１つ以上の機能的モジュールも記憶する。装置２０のコンポーネントは、ハードウェアで具現化されてもよいし、又はハードウェア及びソフトウェアの適当な組み合わせとして具現化されてもよい。
【００５３】
上述したように、１つの実施形態によれば、装置２０は、ＬＴＥ又はＬＴＥ−ＡのＵＥのような移動デバイスである。１つの実施形態において、装置２０は、装置２０がＥＰＣにアタッチされるときに、装置２０が高レイテンシーデバイスであるとの指示を送信するために、少なくとも１つのメモリ３４及び少なくとも１つのプロセッサ３２により制御される。一実施形態では、その指示は、「アクティブ時間」要求（即ち、ＰＳＭ指示の送信）、ｅＤＲＸ時間要求（即ち、アイドルモードにおいて延長ページングサイクルを要求する指示の送信）、特定のＡＰＮの要求、又は他の代替的なものを含む。次いで、装置２０は、特に高レイテンシーデバイスに対して指示される特殊なＩＰアドレス範囲から選択されたＩＰアドレスが指定される。装置２０は、ＩＭＳ登録を遂行するために少なくとも１つのメモリ３４及び少なくとも１つのプロセッサ３２により制御され、そしてネットワーク（例えば、Ｐ−ＣＳＣＦ）は、ＩＭＳ登録要求と共に与えられ且つＥＰＣアタッチ手順の間に指定されたＩＰアドレスに基づき装置２０が高レイテンシーデバイスであると決定することができる。
【００５４】
別の実施形態では、装置２０は、装置２０がもはや到達不能であるとの明確な指示をＩＭＳへ送信するように、少なくとも１つのメモリ３４及び少なくとも１つのプロセッサ３２により制御される。１つの規範的実施形態では、明確な指示は、ＳＩＰメッセージの新規なＳＩＰヘッダフィールド又はヘッダフィールドパラメータにおいて送信される。一実施形態によれば、装置２０は、装置２０の将来の利用性に関する情報を送信するように、少なくとも１つのメモリ３４及び少なくとも１つのプロセッサ３２により制御される。例えば、将来の利用性に関する情報は、次のウェイクアップ期間の日時を含む。別の例では、装置２０は、装置２０の将来の利用性に関するより多様性のある情報、例えば、利用性の通常サイクル又は一連の周期を送信するように、少なくとも１つのメモリ３４及び少なくとも１つのプロセッサ３２により制御される。１つの実施形態によれば、装置２０が再びウェイクするとき、装置２０は、装置２０が今や到達可能であるとの明確な指示を送信するように、少なくとも１つのメモリ３４及び少なくとも１つのプロセッサ３２により制御される。
【００５５】
図３ａは、本発明の１つの実施形態による方法の規範的フローチャートである。ある実施形態では、図３ａの方法は、パケットデータネットワークゲートウェイ及び／又はＰ−ＣＳＣＦのようなネットワークノードにより遂行される。図３ａに示すように、この方法は、３００において、ＵＥがＥＰＣにアタッチされるとき、ＵＥが高レイテンシーデバイスであるとの指示を受け取ることを含む。一実施形態では、その指示は、「アクティブ時間」要求（即ち、ＰＳＭ指示の受信）、ｅＤＲＸ時間要求（即ち、アイドルモードにおいて延長ページングサイクルを要求する指示の受信）、特定のＡＰＮの要求、又は他の代替的なものを含む。又、この方法は、３１０において、特に高レイテンシーデバイスに対して指示される特殊なＩＰアドレス範囲から選択されるＩＰアドレスをＵＥに指定することを含む。又、一実施形態では、この方法は、３２０において、高レイテンシーデバイスに対して指示される特殊なＩＰアドレス範囲を含む構成テーブルを記憶することを含む。ＵＥがＩＭＳ登録を遂行するとき、この方法は、３３０において、ＩＭＳ登録要求で与えられ且つＥＰＣアタッチ手順の間に指定されるＵＥのＩＰアドレスに基づいてＵＥが高レイテンシーＵＥであると決定することを含む。１つの実施形態では、この方法は、３４０において、指定のＩＰアドレスに基づいて高レイテンシーデバイスであると識別されたときにＵＥに対して長い再送信タイマーを使用することを含む。
【００５６】
図３ｂは、本発明の別の実施形態による方法の規範的なフローチャートである。ある実施形態では、図３ｂの方法は、ＬＴＥ又はＬＴＥ−ＡのＵＥのようなデバイスにより遂行される。図３ｂに示すように、この方法は、３５０において、ＵＥがＥＰＣにアタッチするとき、ＵＥが高レイテンシーデバイスであるとの指示を送信することを含む。一実施形態では、その指示は、「アクティブ時間」要求（即ち、ＰＳＭ指示の送信）、ｅＤＲＸ時間要求（即ち、アイドルモードにおいて延長ページングサイクルを要求する指示の送信）、特定のＡＰＮの要求、又は他の代替的なものを含む。次いで、ＵＥは、例えば、ＰＧＷにより、特に高レイテンシーデバイス対して指示される特殊なＩＰアドレス範囲から選択されるＩＰアドレスが指定される。又、この方法は、３６０において、ＵＥがＩＭＳ登録を遂行することを含み、そしてネットワーク（例えば、Ｐ−ＣＳＣＦ）は、ＩＭＳ登録要求と共に与えられ且つＥＰＣアタッチ手順の間に指定されるＩＰアドレスに基づきＵＥが高レイテンシーデバイスであると決定することができる。
【００５７】
図４ａは、本発明の１つの実施形態による方法の規範的なフローチャートである。ある実施形態では、図４ａの方法は、Ｓ−ＣＳＣＦのようなネットワークノードにより遂行される。図４ａに示すように、この方法は、４００において、ＵＥがもはや到達可能でないとの明確な指示をＵＥから受け取ることを含む。１つの規範的実施形態では、その明確な指示は、ＳＩＰメッセージの新規なＳＩＰヘッダフィールド又はヘッダフィールドパラメータにおいて受け取られる。一実施形態では、その受け取りは、更に、ＵＥの将来の利用性に関する情報を受け取ることを含む。例えば、将来の利用性に関する情報は、次のウェイクアップ期間の日時を含む。別の例では、その受け取りは、ＵＥの将来の利用性に関するより多様性のある情報、例えば、利用性の通常サイクル又は一連の周期を受け取ることも含む。１つの実施形態によれば、ＵＥが再びウェイクするときに、この方法は、４１０において、ＵＥが今や到達可能であるとの明確な指示を受け取ることも含む。
【００５８】
図４ｂは、本発明の別の実施形態による方法の規範的なフローチャートである。ある実施形態では、図４ｂの方法は、ＬＴＥ又はＬＴＥ−ＡのＵＥのようなデバイスにより遂行される。図４ｂに示すように、この方法は、４５０において、ＵＥがもはや到達可能でないとの明確な指示をＩＭＳに送信することを含む。１つの規範的実施形態では、その明確な指示は、ＳＩＰメッセージの新規なＳＩＰヘッダフィールド又はヘッダフィールドパラメータにおいて送出される。一実施形態によれば、その送出は、ＵＥの将来の利用性に関する情報を送出することを含む。例えば、将来の利用性に関する情報は、次のウェイクアップ期間の日時を含む。別の例では、その送出は、ＵＥの将来の利用性に関するより多様性のある情報、例えば、利用性の通常サイクル又は一連の周期、を送出することを含む。１つの実施形態によれば、ＵＥが再びウェイクするとき、この方法は、４６０において、ＵＥが今や到達可能であるとの明確な指示を送出することも含む。
【００５９】
図５は、本発明の１つの実施形態による方法の規範的フローチャートである。ある実施形態において、図５の方法は、ＭＭＥのようなネットワークノードにより遂行される。図５に示すように、この方法は、５００において、ＵＥがアイドルモード（例えば、ＥＣＭ−ＩＤＬＥ）へ移動するか又はＲＲＣ接続から解除されるときに、ＵＥがネットワークページングからまだ到達可能である実際の時間及びＵＥの実際のスリープ期間の指示をネットワークノード（例えば、Ｐ−ＧＷ、ＰＣＲＦ及び／又はＰ−ＣＳＣＦ）へ送信することを含む。
【００６０】
図６は、本発明の１つの実施形態による方法の規範的フローチャートである。ある実施形態において、図６の方法は、ＩＭＳアクセスサーバーのようなネットワークノードにより遂行される。図６に示すように、この方法は、６００において、ＵＥに関連したサブスクライバサーバー（例えば、ＨＳＳ）に、ＵＥがウェイクし且つ到達可能であるときにその通知をネットワークノードが希望することを指示することを含む。次いで、サブスクライバサーバーは、ＵＥが再び到達可能になるとき及びどれほど長くそれが到達可能であるかの通知をサブスクライバサーバーへ送信するための要求をＭＭＥへ送出する。ＵＥがアクティブになると、ＭＭＥは、ＵＥが到達可能であることをサブスクライバサーバーに通知し、そして到達可能の期間をサブスクライバサーバーに通知する。又、ＭＭＥは、ＵＥがスリープに戻るとき及びどれほど長くスリープに戻るかをサブスクライバサーバーに通知する。次いで、この方法は、６１０において、ＵＥ到達可能及びどれほど長くという情報、及び／又はＵＥ到達不能及びどれほど長くという情報を含むＵＥの状態情報をサブスクライバサーバーから受け取ることを含む。次いで、ネットワークノードは、この情報を考慮し、スリープ期間中にＵＥへ着信ＳＩＰメッセージを送信するのを回避する。
【００６１】
前記実施形態によれば、ソフトウェアルーチン、アプレット及びマクロを含めて、プログラム製品又はコンピュータプログラムとも称されるプログラムは、装置読み取り可能なデータストレージ媒体に記憶され、そしてそれらは、特定のタスクを遂行するためにプログラムインストラクションを含む。コンピュータプログラム製品は、プログラムが実行されるとき、前記実施形態を具現化するように構成された１つ以上のコンピュータ実行可能なコンポーネントを含む。１つ以上のコンピュータ実行可能なコンポーネントは、少なくとも１つのソフトウェアコードであるか又はその一部分である。一実施形態の機能を具現化するのに要求される修正及び構成は、追加又は更新型ソフトウェアルーチンとして具現化されるルーチンとして遂行される。ソフトウェアルーチンは、装置へダウンロードされる。
【００６２】
ソフトウェア又はコンピュータプログラムコード又はその一部分は、ソースコード形態、オブジェクトコード形態又は何らかの中間形態であり、そしてプログラムを搬送できるエンティティ又はデバイスであるある種のキャリア、配布媒体又はコンピュータ読み取り可能な媒体に記憶される。そのようなキャリアは、例えば、レコード媒体、コンピュータメモリ、リードオンリメモリ、光電子及び／又は電気的キャリア信号、テレコミュニケーション信号、及びソフトウェア配布パッケージを含む。必要な処理能力に基づき、コンピュータプログラムは、単一の電子的デジタルコンピュータにおいて実行されるか、或いは多数のコンピュータ間に配布される。コンピュータ読み取り可能な媒体又はコンピュータ読み取り可能なストレージ媒体は、非一時的媒体である。
【００６３】
他の実施形態において、ここに述べる方法又は装置の機能は、例えば、特定用途向け集積回路（ＡＳＩＣ）、プログラマブルゲートアレイ（ＰＧＡ）、フィールドプログラマブルゲートアレイ（ＦＰＧＡ）の使用を通してハードウェアにより遂行されるか、又はハードウェア及びソフトウェアの他の組み合わせにより遂行される。更に別の実施形態では、その機能は、インターネット又は他のネットワークからダウンロードされる電磁信号により搬送される信号、即ち非有形手段として具現化される。
【００６４】
一実施形態によれば、ノード、デバイス、又はそれに対応するコンポーネントのような装置は、単一チップコンピュータ要素のようなコンピュータ又はマイクロプロセッサとして構成されるか、或いは少なくとも、演算に使用されるストレージ容量を与えるメモリ、及び演算を実行するためのオペレーションプロセッサを含むチップセットとして構成される。
【００６５】
１つの実施形態は、少なくとも１つのプロセッサ、及びコンピュータプログラムコードを含む少なくとも１つのメモリを備えた装置に向けられる。少なくとも１つのメモリ及びコンピュータプログラムコードは、少なくとも１つのプロセッサとで、装置が、少なくとも、ＵＥがＥＰＣにアタッチされるとき、ＵＥが高レイテンシーデバイスであるとの指示を受け取るようにさせるよう構成される。一実施形態では、その指示は、「アクティブ時間」要求（即ち、ＰＳＭ指示の受信）、ｅＤＲＸ時間要求（即ち、アイドルモードにおいて延長ページングサイクルを要求する指示の受信）、特定のＡＰＮの要求、又は他の代替的なものを含む。少なくとも１つのメモリ及びコンピュータプログラムコードは、少なくとも１つのプロセッサとで、装置が、少なくとも、特に高レイテンシーデバイスに対して指示される特殊なＩＰアドレス範囲から選択されるＩＰアドレスをＵＥに指定するようにさせるよう構成される。又、一実施形態では、少なくとも１つのメモリ及びコンピュータプログラムコードは、少なくとも１つのプロセッサとで、装置が、少なくとも、高レイテンシーデバイスに対して指示される特殊なＩＰアドレス範囲を含む構成テーブルを記憶するようにさせるよう構成される。ＵＥがＩＭＳ登録を遂行するとき、この装置は、ＩＭＳ登録要求と共に与えられ且つＥＰＣアタッチ手順の間に指定されるＵＥのＩＰアドレスに基づきＵＥが高レイテンシーＵＥであると決定することができる。１つの実施形態では、少なくとも１つのメモリ及びコンピュータプログラムコードは、少なくとも１つのプロセッサとで、装置が、少なくとも、指定のＩＰアドレスに基づいて高レイテンシーデバイスであると識別されたときにＵＥに対して長い再送信タイマーを使用するようにさせるよう構成される。  
【００６６】
別の実施形態は、少なくとも１つのプロセッサ、及びコンピュータプログラムコードを含む少なくとも１つのメモリを備えた装置に向けられる。少なくとも１つのメモリ及びコンピュータプログラムコードは、少なくとも１つのプロセッサとで、装置が、少なくとも、ＵＥがもはや到達可能でないとの明確な指示をＵＥから受け取るようにさせるよう構成される。１つの規範的実施形態では、その明確な指示は、ＳＩＰメッセージの新規なＳＩＰヘッダフィールド又はヘッダフィールドパラメータにおいて受け取られる。一実施形態では、少なくとも１つのメモリ及びコンピュータプログラムコードは、少なくとも１つのプロセッサとで、装置が、少なくとも、ＵＥの将来の利用性に関する情報を受け取るようにさせるよう構成される。例えば、将来の利用性に関する情報は、次のウェイクアップ期間の日時を含む。別の例では、少なくとも１つのメモリ及びコンピュータプログラムコードは、少なくとも１つのプロセッサとで、装置が、少なくとも、ＵＥの将来の利用性に関するより多様性のある情報、例えば、利用性の通常サイクル又は一連の周期を受け取るようにさせるよう構成される。１つの実施形態によれば、ＵＥが再びウェイクするときに、少なくとも１つのメモリ及びコンピュータプログラムコードは、少なくとも１つのプロセッサとで、装置が、少なくとも、ＵＥが今や到達可能であるとの明確な指示を受け取るようにさせるよう構成される。
【００６７】
別の実施形態において、少なくとも１つのメモリ及びコンピュータプログラムコードは、少なくとも１つのプロセッサとで、装置が、少なくとも、ＵＥがアイドルモード（例えば、ＥＣＭ−ＩＤＬＥ）へ移動するか又はＲＲＣ接続から解除されるときに、ＵＥがネットワークページングからまだ到達可能である実際の時間及び実際のスリープ期間の指示をネットワークノード（例えば、Ｐ−ＧＷ、ＰＣＲＦ及び／又はＰ−ＣＳＣＦ）へ送信するようにさせるよう構成される。
【００６８】
別の実施形態では、少なくとも１つのメモリ及びコンピュータプログラムコードは、少なくとも１つのプロセッサとで、装置が、少なくとも、ＵＥに関連したサブスクライバサーバー（例えば、ＨＳＳ）に、ＵＥがウェイクし且つ到達可能であるときにその通知を装置１０が希望することを指示するようにさせるよう構成される。次いで、サブスクライバサーバーは、ＵＥが再び到達可能になるとき及びどれほど長く到達可能であるかの通知をサブスクライバサーバーへ送信するための要求をＭＭＥへ送出する。ＵＥがアクティブになると、ＭＭＥは、ＵＥが到達可能であることをサブスクライバサーバーに通知し、そして到達可能の期間をサブスクライバサーバーに通知する。又、ＭＭＥは、ＵＥがスリープに戻るとき及びどれほど長くスリープに戻っているかをサブスクライバサーバーに通知する。次いで、少なくとも１つのメモリ及びコンピュータプログラムコードは、少なくとも１つのプロセッサとで、装置が、少なくとも、ＵＥ到達可能及びどれほど長くという情報、及び／又はＵＥ到達不能及びどれほど長くという情報を含むＵＥの状態情報をサブスクライバサーバーから受け取るようにさせるよう構成される。次いで、装置は、この情報を考慮し、スリープ期間中にＵＥへ着信ＳＩＰメッセージを送信するのを回避する。
【００６９】
別の実施形態は、ＵＥがＥＰＣにアタッチされるとき、ＵＥが高レイテンシーデバイスであるとの指示をネットワークノードで受け取ることを含む方法に向けられる。一実施形態では、その指示は、「アクティブ時間」要求（即ち、ＰＳＭ指示の受信）、ｅＤＲＸ時間要求（即ち、アイドルモードにおいて延長ページングサイクルを要求する指示の受信）、特定のＡＰＮの要求、又は他の代替的なものを含む。又、この方法は、特に高レイテンシーデバイスに対して指示される特殊なＩＰアドレス範囲から選択されるＩＰアドレスをＵＥに指定することを含む。又、一実施形態では、この方法は、高レイテンシーデバイスに対して指示される特殊なＩＰアドレス範囲を含む構成テーブルを記憶することを含む。ＵＥがＩＭＳ登録を遂行するとき、この方法は、ＩＭＳ登録要求と共に与えられ且つＥＰＣアタッチ手順の間に指定されるＵＥのＩＰアドレスに基づきＵＥが高レイテンシーＵＥであると決定することを含む。１つの実施形態では、この方法は、指定のＩＰアドレスに基づいて高レイテンシーデバイスであると識別されたときにＵＥに対して長い再送信タイマーを使用することを含む。
【００７０】
別の実施形態は、ＵＥがもはや到達可能でないとの明確な指示をＵＥからネットワークノードにより受け取ることを含む方法に向けられる。１つの規範的実施形態では、その明確な指示は、ＳＩＰメッセージの新規なＳＩＰヘッダフィールド又はヘッダフィールドパラメータにおいて受け取られる。一実施形態では、その受け取りは、更に、ＵＥの将来の利用性に関する情報を受け取ることを含む。例えば、将来の利用性に関する情報は、次のウェイクアップ期間の日時を含む。別の例では、その受け取りは、ＵＥの将来の利用性に関するより多様性のある情報、例えば、利用性の通常サイクル又は一連の周期を受け取ることを含む。１つの実施形態によれば、ＵＥが再びウェイクするとき、この方法は、ＵＥが今や到達可能であるとの明確な指示を受け取ることを含む。
【００７１】
別の実施形態は、ＵＥがアイドルモード（例えば、ＥＣＭ−ＩＤＬＥ）へ移動するか又はＲＲＣ接続から解除されるときに、ＵＥがネットワークページングからまだ到達可能である実際の時間及びＵＥの実際のスリープ期間の指示をネットワークノード（例えば、Ｐ−ＧＷ、ＰＣＲＦ及び／又はＰ−ＣＳＣＦ）へ送信することを含む方法に向けられる。
【００７２】
別の実施形態は、ＵＥに関連したサブスクライバサーバー（例えば、ＨＳＳ）に、ＵＥがウェイクし且つ到達可能であるときにその通知をネットワークノードが希望することをネットワークノードにより指示することを含む方法に向けられる。次いで、サブスクライバサーバーは、ＵＥが再び到達可能になるとき及びどれほど長く到達可能であるかの通知をサブスクライバサーバーへ送信するための要求をＭＭＥへ送出する。ＵＥがアクティブになると、ＭＭＥは、ＵＥが到達可能であることをサブスクライバサーバーに通知し、そして到達可能の期間をサブスクライバサーバーに通知する。又、ＭＭＥは、ＵＥがスリープに戻るとき及びどれほど長くスリープに戻っているかをサブスクライバサーバーに通知する。又、この方法は、ＵＥ到達可能及びどれほど長くという情報、及び／又はＵＥ到達不能及びどれほど長くという情報を含むＵＥの状態情報をサブスクライバサーバーから受け取ることを含む。次いで、ネットワークノードは、この情報を考慮し、スリープ期間中にＵＥへ着信ＳＩＰメッセージを送信するのを回避する。
【００７３】
当業者であれば、上述した本発明は、異なる順序のステップで実施されてもよいし及び／又はここに開示するものとは異なる構成のハードウェア要素で実施されてもよいことが容易に理解されよう。それ故、本発明は、好ましい実施形態に基づき上述したが、本発明の精神及び範囲から逸脱せずに、ある修正、変更及び代替的構造がなされ得ることが当業者に明らかであろう。
【符号の説明】
【００７４】
１０、２０：装置
１４、３４：メモリ
２２、３２：プロセッサ
２５、３５：アンテナ
２８、３８：トランシーバ
１００：ＩＭＳネットワーク構成
１０１：ユーザ装置（ＵＥ）
１０５：パケットデータネットワークゲートウェイ
１０７：ＰＣＲＦ
１１０：Ｐ−ＣＳＣＦ
１１５：Ｓ−ＣＳＣＦ
【図１】
2018538761.tif 000003
【図２ａ】
2018538761.tif 000004
【図２ｂ】
2018538761.tif 000005
【図３ａ】
2018538761.tif 000006
【図３ｂ】
2018538761.tif 000007
【図４ａ】
2018538761.tif 000008
【図４ｂ】
2018538761.tif 000009
【図５】
2018538761.tif 000010
【図６】
2018538761.tif 000011
【国際調査報告】
2018538761.tif 000012
2018538761.tif 000013